(57)【要約】【課題】画像投影装置において、設定作業の作業性を向上させること。【解決手段】プロジェクター１００は、画像データに応じた画像をスクリーン２００に投射する投射レンズ４０と、前記画像をスクリーン２００に投影する際に設定されるズーム設定のズーム調整値を取得する調整値取得部５４と、前記ズーム設定に対して過去に設定された登録ズーム値を記憶する第１設定値記憶部６１から、調整値取得部５４により取得される前記ズーム調整値に最も近い前記登録ズーム値を含む、１又は複数の前記登録ズーム値を検出する設定値検出部５５と、設定値検出部５５により検出される前記１又は複数の前記登録ズーム値に関する情報を、スクリーン２００に表示させる表示制御部５２と、を備える。【選択図】図５
2019113788.tif 000002
【特許請求の範囲】
【請求項１】
画像データに応じた画像を被投影面に投射する投射部と、
前記画像を前記被投影面に投影する際に設定される第１設定項目の第１調整値を取得する調整値取得部と、
前記第１設定項目に対して過去に設定された第１登録設定値を記憶する記憶部から、前記調整値取得部により取得される前記第１調整値に最も近い前記第１登録設定値を含む、１又は複数の前記第１登録設定値を検出する設定値検出部と、
前記設定値検出部により検出される前記１又は複数の前記第１登録設定値に関する情報を、前記被投影面に表示させる表示制御部と、
を備える画像投影装置。
【請求項２】
前記設定値検出部により検出される前記１又は複数の前記第１登録設定値からユーザーにより選択される前記第１登録設定値に基づいて、前記投射部の調整を行う調整部をさらに備える、
請求項１に記載の画像投影装置。
【請求項３】
前記設定値検出部は、前記第１設定項目の調整値を基準として第１所定範囲に含まれる複数の前記第１登録設定値を検出し、
前記調整部は、前記調整部による前記投射部の調整結果についてユーザーからの許可を取得するまで、前記複数の前記第１登録設定値について前記ユーザーが選択した順に、選択された前記第１登録設定値に基づいて、前記投射部の調整を行う、
請求項２に記載の画像投影装置。
【請求項４】
前記記憶部は、前記第１登録設定値と、前記画像を前記被投影面に投影する際に設定される第２設定項目に対して過去に設定された第２登録設定値とを関連付けて記憶し、
前記設定値検出部により検出された前記１又は複数の前記第１登録設定値からユーザーにより選択された前記第１登録設定値と、前記第１登録設定値に関連付けられた前記第２登録設定値とに基づいて、前記投射部の調整を行う調整部をさらに備える、
請求項１に記載の画像投影装置。
【請求項５】
前記設定値検出部は、前記第１設定項目の調整値を基準として第１所定範囲に含まれる複数の前記第１登録設定値と、前記複数の前記第１登録設定値に関連付けられた複数の前記第２登録設定値とを検出し、
前記調整部は、前記調整部による前記投射部の調整結果についてユーザーからの許可を取得するまで、前記複数の前記第１登録設定値について前記ユーザーが選択した順に、選択された前記第１登録設定値と、前記第１登録設定値に関連付けられた前記第２登録設定値とに基づいて、前記投射部の調整を行う、
請求項４に記載の画像投影装置。
【請求項６】
前記複数の前記第１登録設定値の全てについて前記調整部による前記投射部の調整が行われた場合であって、当該調整の結果についてユーザーからの許可を取得しない場合は、
前記設定値検出部は、前記第１所定範囲を拡大した第２所定範囲に含まれる複数の前記第１登録設定値を再検出する、
請求項３又は５に記載の画像投影装置。
【請求項７】
前記第１設定項目は、前記投射部に含まれるレンズのズーム設定であり、
前記第２設定項目は、前記レンズのフォーカス設定である、
請求項３に記載の画像投影装置。
【請求項８】
前記表示制御部は、前記設定値検出部により検出される前記複数の前記第１登録設定値に関する情報を、リスト形式にして前記被投影面に表示させる、
請求項１〜７の何れかに記載の画像投影装置。
【請求項９】
前記調整部による前記投射部の調整結果について、ユーザーからの許可を取得した場合は、前記投射部は、前記画像を前記被投影面に投射する、
請求項１〜８の何れかに記載の画像投影装置。
【請求項１０】
画像データに応じた画像を被投影面に投射するステップと、
前記画像を前記被投影面に投影する際に設定される第１設定項目の第１調整値を取得するステップと、
前記第１設定項目に対して過去に設定された第１登録設定値を記憶する記憶部から、前記取得される前記第１調整値に最も近い前記第１登録設定値を含む、１又は複数の前記第１登録設定値を検出するステップと、
前記検出される前記１又は複数の前記第１登録設定値に関する情報を、前記被投影面に表示させるステップと、
を含む画像投影装置の設定方法。
【発明の詳細な説明】
【技術分野】
【０００１】
本発明は、スクリーン等の被投影面に画像を投影する画像投影装置及び画像投影装置の設定方法に関する。
【背景技術】
【０００２】
一般的に、スクリーン等の被投影面に画像を投影する装置として、所謂プロジェクターが用いられている。ユーザーは、前記プロジェクターを使用する際には、プロジェクターを任意の位置に設置した後、レンズのズーム調整、レンズのフォーカス調整、レンズシフト調整、投影画像の台形補正等の調整作業（設定作業）を行う。前記調整作業のうち、特にレンズの調整作業（ズーム調整、フォーカス調整、シフト調整）には、多くの時間を要する。
【０００３】
従来、前記レンズの調整作業の時間を短縮するための技術が提案されている。例えば特許文献１には、プロジェクターの電源を投入すると、予め入力端子の種別に応じたレンズ調整値（ズーム調整値、フォーカス調整値、レンズシフト調整値）が記憶された記憶部から、現在の入力端子の種別に応じたレンズ調整値を取得し、取得したレンズ調整値に基づいてレンズの調整作業を行う技術が開示されている。
【先行技術文献】
【特許文献】
【０００４】
【特許文献１】特許第５７４７５８０号公報
【発明の概要】
【発明が解決しようとする課題】
【０００５】
しかしながら、前記従来の技術では、入力端子の種別のみに基づいてレンズの調整作業を行っているため、例えばプロジェクターを設置する場所（位置）が異なると、入力端子の種別のみに基づいて取得されるレンズ調整値は不適切な値となる可能性がある。特に、小型のプロジェクターでは、使用する度に設置位置が変わったり、ユーザーごとに設置位置にばらつきが生じたりするため、上記従来の技術では、レンズの調整作業に時間を要し、プロジェクターの設定作業の作業性が低下するという問題が生じる。
【０００６】
本発明の目的は、画像投影装置において、設定作業の作業性を向上させることにある。
【課題を解決するための手段】
【０００７】
本発明の一の態様に係る画像投影装置は、画像データに応じた画像を被投影面に投射する投射部と、前記画像を前記被投影面に投影する際に設定される第１設定項目の第１調整値を取得する調整値取得部と、前記第１設定項目に対して過去に設定された第１登録設定値を記憶する記憶部から、前記調整値取得部により取得される前記第１調整値に最も近い前記第１登録設定値を含む、１又は複数の前記第１登録設定値を検出する設定値検出部と、前記設定値検出部により検出される前記１又は複数の前記第１登録設定値に関する情報を、前記被投影面に投影させる表示制御部と、を備える。
【０００８】
本発明の他の態様に係る画像投影装置の設定方法は、画像データに応じた画像を被投影面に投射するステップと、前記画像を前記被投影面に投影する際に設定される第１設定項目の第１調整値を取得するステップと、前記第１設定項目に対して過去に設定された第１登録設定値を記憶する記憶部から、前記取得される前記第１調整値に最も近い前記第１登録設定値を含む、１又は複数の前記第１登録設定値を検出するステップと、前記検出される前記１又は複数の前記第１登録設定値に関する情報を、前記被投影面に表示させるステップと、を含む。
【発明の効果】
【０００９】
本発明によれば、画像投影装置において、設定作業の作業性を向上させることができる。
【図面の簡単な説明】
【００１０】
【図１】図１は、本発明の実施形態に係るプロジェクターの構成を示す機能ブロック図である。
【図２】図２は、本発明の実施形態に係るプロジェクターにおける記憶部に記憶される登録設定値を示す表である。
【図３】図３は、本発明の実施形態に係るプロジェクターの設定作業の手順の一例を説明するためのフローチャートである。
【図４】図４は、本発明の実施形態に係るプロジェクターを会議室に設置した様子を示す図である。
【図５】図５は、前記登録設定値がスクリーンに表示された様子を示す図である。
【図６】図６は、前記登録設定値がスクリーンに表示された様子を示す図である。
【図７】図７は、前記登録設定値がスクリーンに表示された様子を示す図である。
【図８】図８は、前記登録設定値がスクリーンに表示された様子を示す図である。
【図９】図９は、本発明に係る手動調整のプロジェクターの設定作業の手順の一例を説明するためのフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
図１は、本実施形態に係るプロジェクター１００（画像投影装置）の構成を示す機能ブロック図である。尚、図１において、一般的な光学系の構成等については適宜省略している。
【００１３】
プロジェクター１００は、入力部１０と、操作部２０と、レンズ駆動部３０と、投射レンズ４０（投射部）と、制御部５０と、記憶部６０とを備えている。入力部１０には、ＰＣ（パーソナルコンピュータ）等の外部の画像出力装置（図示せず）から出力される画像データが入力される。操作部２０は、プロジェクター１００を使用するユーザーが各種操作を行うための操作ボタンである。尚、プロジェクター１００に表示部（タッチパネル等）（図示せず）が搭載される構成の場合は、前記操作ボタンは、表示画面における電子的なボタンであってもよい。また、ユーザーがリモートコントローラー（図示せず）により操作を行う構成の場合は、操作部２０は、当該リモートコントローラーであってもよい。
【００１４】
レンズ駆動部３０は、投射レンズ４０のズーム設定、フォーカス設定、レンズシフト設定を変更するための駆動部である。レンズ駆動部３０は、制御部５０からの命令に基づき、投射レンズ４０のズーム設定、フォーカス設定、レンズシフト設定を変更する。また、投射レンズ４０は、制御部５０からの命令に基づき、前記画像データから生成される画像を、スクリーン２００（被投影面）に投射する。さらに、投射レンズ４０は、制御部５０からの命令に基づき、プロジェクター１００の設定作業の際に、所定の設定情報を、スクリーン２００に投射する。
【００１５】
尚、プロジェクター１００の設定作業では、画像をスクリーン２００に投影する際に設定される複数の設定項目について、調整及び設定が行われる。プロジェクター１００は、複数の設定項目に対して設定された設定値に基づいて、前記画像データに応じた画像をスクリーン２００に投影する。前記複数の設定項目には、例えば、ズーム設定、フォーカス設定、レンズシフト設定、台形補正設定が含まれる。
【００１６】
記憶部６０は、第１設定値記憶部６１を含んでいる。第１設定値記憶部６１には、過去の調整作業により設定された各設定値（ズーム値、フォーカス値、レンズシフト値、台形補正値）が登録されている。以下では、第１設定値記憶部６１に登録されている各設定値（登録設定値）をそれぞれ、「登録ズーム値」、「登録フォーカス値」、「登録レンズシフト値」、「登録台形補正値」と称す。図２は、前記登録設定値を示す表である。図２には、９個のデータＡ〜Iが登録されている。各データにおいて、登録ズーム値、登録フォーカス値、登録レンズシフト値、及び、登録台形補正値が互いに関連付けられて登録されている。
【００１７】
例えば、データＡの各登録設定値は、第１のユーザーが会議室Ｍ１においてプロジェクター１００を設置したときに調整して設定した値であり、データＢの各登録設定値は、第２のユーザーが前記会議室Ｍ１においてプロジェクター１００を設置したときに調整して設定した値であり、データＣの各登録設定値は、前記第１のユーザーが会議室Ｍ２においてプロジェクター１００を設置したときに調整して設定した値である。このように、プロジェクター１００を設置する際に設定される各設定値は、プロジェクター１００を使用するユーザー、及び、プロジェクター１００を設置する場所等によって異なることがある。特に、プロジェクター１００が小型のプロジェクターの場合は、各設定値にばらつきが生じ易い。
【００１８】
プロジェクター１００では、例えば、プロジェクター１００の設定作業が完了したときに、各設定値を第１設定値記憶部６１に登録してもよいし、プロジェクター１００の設定作業が完了し、画像を投影する通常の使用が終了した後、電源をオフしたときに、各設定値を第１設定値記憶部６１に登録してもよい。第１設定値記憶部６１に登録可能なデータ数は、限定されないが、記憶部６０の容量を考慮して予め定められてもよい。尚、前記データ数が予め定められた数に達した場合は、古いデータから削除して新しいデータを追加するようにしてもよい。また、前記各データに、設定作業を行ったユーザーの識別情報が関連付けられているときは、同一のユーザーにおいて、設定作業の日時が最も古いデータを、前記日時が最も新しいデータに更新するようにしてもよい。
【００１９】
制御部５０は、画像処理部５１と、表示制御部５２と、レンズ調整部５３と、調整値取得部５４と、設定値検出部５５と、設定処理部５６と、を備えている。
【００２０】
画像処理部５１は、前記画像出力装置から入力部１０に入力された画像データを取得し、取得した画像データに基づいて、スクリーン２００に投影する画像を生成する。
【００２１】
表示制御部５２は、画像処理部５１により生成された画像を、投射レンズ４０を介してスクリーン２００に表示（投影）させる。また、表示制御部５２は、プロジェクター１００の設定作業の際に、所定の設定情報を、投射レンズ４０を介してスクリーン２００に表示させる。さらに、表示制御部５２は、ユーザーの操作に基づいて、スクリーン２００に投影する画像の台形補正を行う。
【００２２】
レンズ調整部５３は、ユーザーの操作に基づいて、レンズ駆動部３０を制御することにより投射レンズ４０を駆動する。例えば、プロジェクター１００が電動ズーム調整機能を有する場合において、ユーザーが操作部２０によりズーム調整を指示した場合、レンズ調整部５３は、レンズ駆動部３０を介して投射レンズ４０を駆動し、ズーム調整を行う。また、プロジェクター１００が手動ズーム調整機能を有する場合において、ユーザーが操作部２０に含まれるズーム調整ダイヤル（又はレバー）を操作した場合、レンズ調整部５３は、ユーザーの操作に基づいて、レンズ駆動部３０を介して投射レンズ４０を駆動し、ズーム調整を行う。
【００２３】
レンズ調整部５３は、投射レンズ４０のズーム調整、フォーカス調整、レンズシフト調整を含むレンズ調整を行う。尚、プロジェクター１００が電動ズーム調整機能を有する場合であっても、ユーザーによる手動のズーム調整は可能となっている。
【００２４】
調整値取得部５４は、ユーザーの操作に基づいてレンズ調整された調整値を取得する。例えば、プロジェクター１００が電動ズーム調整機能を有する場合において、ユーザーがズーム調整を指示し、レンズ調整部５３がズーム調整を行った場合、調整値取得部５４は、ズーム調整が完了したときのズーム値であるズーム調整値を取得する。
【００２５】
設定値検出部５５は、調整値取得部５４により取得される前記調整値に基づいて、第１設定値記憶部６１に登録されている登録設定値（登録ズーム値、登録フォーカス値、登録レンズシフト値、登録台形補正値）（図２参照）を検索して取得する。具体的には、設定値検出部５５は、前記登録設定値のうち、調整値取得部５４により取得される前記ズーム調整値に最も近い登録ズーム値を含む１又は複数の登録ズーム値と、当該登録ズーム値に関連付けられた、登録フォーカス値、登録レンズシフト値、登録台形補正値とを、検索及び抽出（検出）する。
【００２６】
また、設定値検出部５５は、前記登録設定値に対する検索範囲を切り替えて検索を行う。例えば、設定値検出部５５は、前記ズーム調整値を基準として、±５％、±１０％、±１５％、±２０％、１００％（全体）の範囲を相互に切り替えて、前記登録設定値に対する検索を行う。
【００２７】
表示制御部５２は、さらに、設定値検出部５５により検出された前記登録設定値の情報を、スクリーン２００に表示させる。尚、設定値検出部５５により抽出された前記登録設定値が複数ある場合は、表示制御部５２は、複数の前記登録設定値をリスト形式にしてスクリーン２００に表示させてもよい。
【００２８】
レンズ調整部５３は、さらに、スクリーン２００に表示された前記登録設定値のうち、ユーザーが選択した登録設定値を取得し、取得した前記登録設定値に基づきレンズ調整を行う。
【００２９】
設定処理部５６は、ユーザーによる調整作業が完了したときの各設定値（ズーム値、フォーカス値、レンズシフト値、台形補正値）を登録設定値として、第１設定値記憶部６１に登録する。
【００３０】
制御部５０は、ＣＰＵ、ＲＯＭ、及びＲＡＭなどを有する。また、制御部５０は、ＥＥＰＲＯＭ（登録商標）のような不揮発性の記憶部（図示せず）を含む。そして、制御部５０は、前記ＲＯＭ又は記憶部などに記憶されているプログラムに従った処理を前記ＣＰＵで実行することによりプロジェクター１００を制御する。制御部５０は、前記ＲＯＭに記憶されているプログラムに従った処理を前記ＣＰＵで実行することにより、上述の画像処理部５１と、表示制御部５２と、レンズ調整部５３と、調整値取得部５４と、設定値検出部５５と、設定処理部５６として機能する。なお、画像処理部５１と、表示制御部５２と、レンズ調整部５３と、調整値取得部５４と、設定値検出部５５と、設定処理部５６のいずれか一又は複数がＡＳＩＣなどの電子回路であってもよい。また、前記プログラムは、メモリカードなどの記憶媒体に記憶され、前記記憶媒体からプロジェクター１００にインストールされてもよいし、インターネット等の通信ネットワークからダウンロードされてもよい。
【００３１】
次に、プロジェクター１００の設定作業の手順の一例を説明する。
【００３２】
図３は、プロジェクター１００の設定作業の手順の一例を説明するためのフローチャートである。ここでは、第１のユーザーが、図４に示す会議室Ｍ１において、小型のプロジェクター１００を設置する場合を例に挙げて説明する。また、プロジェクター１００は、電動ズーム調整機能、電動フォーカス調整機能、電動レンズシフト機能、自動台形補正機能を含む調整機能を有するものとする。尚、プロジェクター１００では、ユーザーの手動による、ズーム調整、フォーカス調整、レンズシフト、台形補正も可能となっている。
【００３３】
先ず、図４に示すように、第１のユーザーは、持参したプロジェクター１００を会議室Ｍ１のテーブル上に載置する。このとき、第１のユーザーは、自身の経験に基づいて任意の位置にプロジェクター１００を載置する。第１のユーザーは、プロジェクター１００を載置した後、電源ボタンＢ１（操作部２０）を押下して電源を投入する。次に、第１のユーザーは、画像をスクリーン２００に投影するための調整（設定）作業を開始する。例えば、第１のユーザーは、２種類（テレ側、ワイド側）のズーム調整用ボタンＢ２ａ，Ｂ２ｂ（操作部２０）を押下して、プロジェクター１００にズーム調整を指示する。
【００３４】
第１のユーザーがズーム調整用ボタンＢ２ａ，Ｂ２ｂを押下すると、レンズ調整部５３は、第１のユーザーの指示（ズーム調整指示）を取得する（ステップＳ１０１）。そして、レンズ調整部５３は、レンズ駆動部３０を介して投射レンズ４０を駆動して、スクリーン２００に合うように最適なズーム調整を行う（ステップＳ１０２）。
【００３５】
レンズ調整部５３によるズーム調整が完了すると、第１のユーザーが設定ボタンＢ３を押下する。
【００３６】
第１のユーザーが設定ボタンＢ３を押下すると、調整値取得部５４が、設定開始の指示を取得し（Ｓ１０３）、ズーム調整が完了したときのズーム値であるズーム調整値を取得する（ステップＳ１０４）。ここでは、例えば、前記ズーム調整値が、「１．２０」であったと仮定する。
【００３７】
次に、設定値検出部５５が、第１設定値記憶部６１に登録されている登録設定値（登録ズーム値、登録フォーカス値、登録レンズシフト値、登録台形補正値）（図２参照）において、調整値取得部５４により取得された前記ズーム調整値（「１．２０」）を基準として所定範囲に含まれる登録設定値を検索する（Ｓ１０５）。例えば、設定値検出部５５は、図２に示す登録設定値において、前記ズーム調整値（「１．２０」）を基準として±５％の範囲を検索する。そして、設定値検出部５５は、前記所定範囲に少なくとも１つの前記登録設定値があるか否かを判定する（ステップＳ１０６）。
【００３８】
前記所定範囲に少なくとも１つの前記登録設定値がある場合は（ステップＳ１０６：ＹＥＳ）、設定値検出部５５は、前記所定範囲に含まれる前記登録設定値を抽出し、表示制御部５２が、抽出された前記登録設定値に関する情報を、スクリーン２００に表示させる（ステップＳ１０７）。
【００３９】
一方、前記所定範囲に前記登録設定値がない場合は（ステップＳ１０６：ＮＯ）、設定値検出部５５は、検索範囲を変更する（ステップＳ１０８）。設定値検出部５５は、検索範囲を変更すると、再度、変更した範囲において前記登録設定値の検索を行う（ステップＳ１０５）。例えば、設定値検出部５５は、検索範囲を±１０％に拡大して、前記登録設定値の検索を行う。
【００４０】
ここでは、図２に示すように、前記ズーム調整値（「１．２０」）を基準として±５％の範囲（「１．１４」〜「１．２６」）に、データＣ，Ｄ，Ｅの登録設定値が存在するため（ステップＳ１０６：ＹＥＳ）、設定値検出部５５は、データＣ，Ｄ，Ｅの登録設定値を抽出する。また表示制御部５２は、抽出されたデータＣ，Ｄ，Ｅの登録設定値に関する情報を、リスト形式にしてスクリーン２００に表示させる（ステップＳ１０７）。図５は、抽出されたデータＣ，Ｄ，Ｅがスクリーン２００にリスト表示された様子を示している。尚、図５には、複数の登録設定値のうち、登録ズーム値のみを表示しているが、これに加えて、登録フォーカス値、登録レンズシフト値、登録台形補正値を表示してもよいし、各登録設定値を表示せず、データの名称（「データＣ」、「データＤ」、「データＥ」）のみ表示してもよい。
【００４１】
次に、第１のユーザーは、スクリーン２００に表示された登録設定値のうち所望の登録設定値を選択する。例えば、第１のユーザーは、選択切替ボタンＢ４（図５参照）を押して登録設定値を切り替え、所望の登録設定値において設定ボタンＢ３を押下して決定する。尚、登録設定値の選択中は、設定ボタンＢ３の周囲のＬＥＤを点滅又は点灯させることが好ましい。図５では、矩形枠に囲まれた「データＣ」が選択された様子を示している。また、選択切替ボタンＢ４が押下された場合は、矩形枠が図５に示す矢印方向にシフトし、選択対象を切り替えることが可能となっている。第１のユーザーは、矩形枠をシフトさせて選択対象を切り替え、矩形枠が所望の登録設定値に重なった状態で、設定ボタンＢ３を押下する。尚、制御部５０は、矩形枠が所望の登録設定値に重なった状態が所定時間経過したときに、当該登録設定値が選択されたと判断してもよい。
【００４２】
第１のユーザーにより１つの登録設定値が選択されると、レンズ調整部５３が、選択された登録設定値を取得し（ステップＳ１０９）、取得した前記登録設定値に基づいて、レンズ等の調整を行う（ステップＳ１１０）。例えば、第１のユーザーにより「データＣ」が選択された場合、レンズ調整部５３は、ズーム値を「１．１６」に設定し、フォーカス値を「１６」に設定し、レンズシフト値を「１０」に設定し、台形補正値を「０」に設定する。これにより、プロジェクター１００は、電動ズーム調整機能、電動フォーカス機能、電動レンズシフト機能、及び自動台形補正機能を含む調整機能により、前記設定値に応じた調整を実行する。
【００４３】
次に、レンズ調整部５３は、第１のユーザーにより手動の調整が行われた場合には、当該調整によるズーム調整、フォーカス調整、レンズシフト、台形補正を行う（ステップＳ１１１）。ここでは、プロジェクター１００による調整後の投影状態を、第１のユーザーが所望の状態に微調整する。
【００４４】
第１のユーザーによる手動の調整が完了すると、第１のユーザーは、スクリーン２００に表示された情報（ここでは、図５に示す設定情報）の状態又は投影状態を見て適切か否かを判断する。第１のユーザーが適切と判断して設定ボタンＢ３を押下した場合は、Ｓ１１３へ移行し、第１のユーザーが不適切と判断して選択切替ボタンＢ４を押下した場合は、Ｓ１１４へ移行する。
【００４５】
第１のユーザーにより設定ボタンＢ３が押下された場合は、設定処理部５６が、前記調整完了時の各設定値（ズーム値、フォーカス値、レンズシフト値、台形補正値）を、登録設定値として、第１設定値記憶部６１に登録する（ステップＳ１１３）。設定処理部５６は、前記設定値を、新たな登録設定値（例えば、「データＪ」）として第１設定値記憶部６１に登録してもよいし、「データＣ」の各登録設定値と入れ替え（更新し）てもよい。
【００４６】
一方、第１のユーザーにより選択切替ボタンＢ４が押下された場合は、設定値検出部５５は、スクリーン２００に表示された登録設定値のうち第１のユーザーにより選択されていない登録設定値があるか否かを判断する（ステップＳ１１４）。
【００４７】
未選択の登録設定値がある場合は（ステップＳ１１４：ＹＥＳ）、表示制御部５２が、前記抽出されたデータＣ，Ｄ，Ｅの登録設定値の情報をリスト形式にしてスクリーン２００に表示させ、選択可能な状態にする。尚、表示制御部５２は、未選択のデータＤ，Ｅのみをスクリーン２００に表示させてもよい。
【００４８】
次に、第１のユーザーは、選択切替ボタンＢ４を押して登録設定値を切り替え、スクリーン２００に表示された登録設定値のうち、他の登録設定値を設定ボタンＢ３を押下して選択する（ステップＳ１１５）。例えば、第１のユーザーは、選択切替ボタンＢ４を押して登録設定値を切り替え、他の登録設定値（例えばデータＤ）において設定ボタンＢ３を押下して決定する（図６参照）。尚、スクリーン２００に表示された情報はフォーカスが合っておらず、第１のユーザーは当該情報を視認し難い場合があるため、第１のユーザーは、スクリーン２００の表示に頼らず、選択切替ボタンＢ４を押して登録設定値を切り替えることにより他の登録設定値を選択する。第１のユーザーが他の登録設定値を選択すると、ステップＳ１１０に戻り、レンズ調整部５３が再度、前記調整処理を実行する。
【００４９】
一方、未選択の登録設定値がない場合は（ステップＳ１１４：ＮＯ）、ステップＳ１０８に戻り、設定値検出部５５が、検索範囲を変更する。設定値検出部５５は、検索範囲を変更すると、再度、変更した範囲において前記登録設定値の検索を行う（ステップＳ１０５）。以降は同様の処理を繰り返す。
【００５０】
ステップＳ１１３において前記調整完了時の各設定値が第１設定値記憶部６１に登録されると、表示制御部５２が、スクリーン２００に設定完了の表示を行う（ステップＳ１１６）。このように、レンズ調整部５３は、レンズ調整部５３による投射レンズ４０の調整結果について第１のユーザーからの許可を取得するまで、複数の登録設定値について第１のユーザーが選択した順に、選択された登録設定値に基づいて、投射レンズ４０の調整を行う。
【００５１】
以上の処理によりプロジェクター１００の設定作業が完了すると、プロジェクター１００は、前記画像出力装置から入力された画像データに応じた画像をスクリーン２００に投影する画像投影処理（ステップＳ１１７）に移行する。画像投影処理は、従来周知の処理を適用できる。
【００５２】
ここで、ステップＳ１０８において、設定値検出部５５が検索範囲を±１０％に拡大した場合、ズーム値の検索範囲が「１．０８」〜「１．３２」になるため、図７に示すように、データＢ，Ｃ，Ｄ，Ｅ，Ｆの登録設定値がスクリーン２００に表示される。尚、図８に示すように、検索範囲を変更した後に表示される登録設定値のリストでは、検索範囲を変更する前に表示した登録設定値が省略されてもよい。
【００５３】
上述の構成では、設定値検出部５５が、第１設定値記憶部６１に登録されている登録設定値において、調整値取得部５４により取得されたズーム調整値を基準として所定範囲に含まれる複数の登録設定値を検出する構成であるが、本発明に係るプロジェクター１００はこれに限定されない。例えば、設定値検出部５５は、第１設定値記憶部６１に登録されている登録設定値のうち、前記ズーム調整値に最も近い登録ズーム値と、当該登録ズーム値に関連付けられた登録設定値（登録フォーカス値、登録レンズシフト値、登録台形補正値）のみを検出してもよい。例えば、上述の例では、ズーム調整値（「１．２０」）に最も近い登録ズーム値（「１．１９」）のデータＤの各登録設定値のみを検出してもよい。また、この場合、表示制御部５２は、１つのデータＤの登録設定値（登録ズーム値、登録フォーカス値、登録レンズシフト値、登録台形補正値）の情報のみを表示させてもよい。
【００５４】
本実施形態に係るプロジェクター１００によれば、ズーム調整による結果（ズーム調整値）が取得されると、前記ズーム調整値に最も近い登録ズーム値を含む１又は複数の登録ズーム値と、当該登録ズーム値に関連付けられた登録設定値（登録フォーカス値、登録レンズシフト値、登録台形補正値）とが検出される。そして、ユーザーは、検出された登録設定値のうち所望の登録設定値を選択することにより、プロジェクター１００の調整を行うことができる。ここで、検出される登録設定値は、前記ズーム調整値に最も近い登録ズーム値を含む登録設定値であるため、当該登録設定値からの微調整だけでプロジェクター１００の設定作業を完了させることができる。また、検出される登録設定値は、前記ズーム調整値を基準として所定範囲に含まれる登録設定値だけであるため、登録設定値の選択数を抑えることができる。よって、プロジェクター１００の設定作業の作業性を向上させることができる。
【００５５】
また、本実施形態に係るプロジェクター１００では、前記ズーム調整値に近い範囲（例えば、±５％の範囲）の登録設定値を先に検出して調整処理を行い、当該登録設定値が不適切である場合に、前記ズーム調整値から遠い範囲（例えば、±１０％の範囲）の登録設定値を検出して調整処理を行う構成である。このため、プロジェクター１００の設定作業を効率的に行うことができる。
【００５６】
本発明に係るプロジェクター１００は上述の各構成に限定されず、以下に列挙する構成であってもよい。
【００５７】
例えば、図１に示すように、記憶部６０が、さらに、第２設定値記憶部６２を含んでもよい。この場合、第１設定値記憶部６１には、第１入力端子用の登録設定値が登録され、第２設定値記憶部６２には、第２入力端子用の登録設定値が登録される。第１入力端子は、例えばアナログ信号の画像データが入力される端子であり、第２入力端子は、例えばデジタル信号の画像データが入力される端子である。また、第１入力端子が、ＰＣ用の端子であり、第２入力端子が、ビデオ用の端子であってもよい。このように、記憶部６０には、入力端子の種別に応じた複数の登録設定値が登録されてもよい。
【００５８】
上記構成では、例えば、制御部５０が入力端子（第１入力端子又は第２入力端子）を判定（特定）し、設定値検出部５５が、特定された入力端子に応じた設定値記憶部（第１設定値記憶部６１又は第２設定値記憶部６２）を参照して、登録設定値を検出すればよい。
【００５９】
また、上述したプロジェクター１００では、スクリーン２００に表示された複数の登録設定値について、前記ズーム調整値（上述の例では「１．２０」）に最も近い登録設定値から選択できるように表示してもよい。例えば、図５に示す例では、初めにデータＤ（「１．１９」）に矩形枠を重ねて選択可能に表示し、次に、ユーザーが選択切替ボタンＢ４を押下したときに、矩形枠がデータＥ（「１．２４」）にシフトして選択可能とする。これにより、調整作業時のレンズの移動量を小さくすることができるため、レンズ駆動部３０の負荷を抑えることができ、レンズ移動時間を減少出来るので、設定時間も短縮できる。
【００６０】
また、本発明に係るプロジェクター１００は、ユーザーの手動により、ズーム調整、フォーカス調整、レンズシフト、及び台形補正が行われる構成であってもよい。図９は、手動調整機能を有するプロジェクター１００の設定作業の手順の一例を説明するためのフローチャートである。尚、図３に示したフローチャートと重複する処理は、必要に応じてその説明を省略する。
【００６１】
先ず、図４に示すように、第２のユーザーは、持参したプロジェクター１００を会議室Ｍ１のテーブル上に載置する。このとき、第２のユーザーは、自身の経験に基づいて任意の位置にプロジェクター１００を載置する。第２のユーザーは、プロジェクター１００を載置した後、電源ボタンＢ１（操作部２０）を押下して電源を投入する。次に、第２のユーザーは、ズーム調整用ダイヤル（操作部２０）を操作してズーム調整を行う。
【００６２】
具体的には、第２のユーザーが前記ズーム調整用ダイヤルを操作すると、レンズ調整部５３は、当該操作内容を取得する（ステップＳ２０１）。例えば、レンズ調整部５３は、前記ズーム調整用ダイヤルの移動量又はレンズの位置を取得する。レンズ調整部５３は、取得した前記操作内容に基づいて、レンズ駆動部３０を介して投射レンズ４０を駆動してズーム調整を行う（ステップＳ２０２）。
【００６３】
レンズ調整部５３によるズーム調整が完了すると、第２のユーザーが設定ボタンＢ３を押下する。第２のユーザーが設定ボタンＢ３を押下すると、調整値取得部５４が、設定開始の指示を取得する（Ｓ２０３）。
【００６４】
ステップＳ２０４〜Ｓ２０８の処理は、図３に示すステップＳ１０４〜Ｓ１０８の処理と同一である。
【００６５】
ステップＳ２０７において、抽出された登録設定値に関する情報がスクリーン２００に表示されると、第２のユーザーは、選択切替ボタンＢ４（図５参照）を押して登録設定値を切り替え、所望の登録設定値において設定ボタンＢ３を押下して、１つの登録設定値を選択する。第２のユーザーにより１つの登録設定値が選択されると、制御部５０は、選択された登録設定値を取得する（ステップＳ２０９）。
【００６６】
第２のユーザーは、自身が選択した登録設定値を見ながら、フォーカス調整用ダイヤル（操作部２０）を手動で操作してフォーカス調整を行う。尚、ここでは、登録ズーム値、登録フォーカス値、登録レンズシフト値、登録台形補正値がスクリーン２００に表示される。例えば、第２のユーザーが前記フォーカス調整用ダイヤルを操作すると、レンズ調整部５３は、当該操作内容を取得する。レンズ調整部５３は、レンズ駆動部３０を介して投射レンズ４０を駆動し、前記フォーカス調整用ダイヤルの操作内容に応じたフォーカス調整を行う（ステップＳ２１０）。同様にして、第２のユーザーはレベルシフト調整及び台形補正を行う（ステップＳ２１１）。尚、第２のユーザーは、選択した登録設定値に基づいて、スクリーン２００の投影状態が最適となるように調整する。
【００６７】
前記調整が完了すると、第２のユーザーは、スクリーン２００に表示された情報（例えば、図５に示す設定情報）の状態又は投影状態を見て適切か否かを判断する。第２のユーザーが適切と判断して設定ボタンＢ３を押下した場合は、Ｓ２１３へ移行し、第２のユーザーが不適切と判断して選択切替ボタンＢ４を押下した場合は、Ｓ２１４へ移行する。
【００６８】
第２のユーザーにより設定ボタンＢ３が押下された場合は、設定処理部５６が、前記調整完了時の各設定値（ズーム値、フォーカス値、レンズシフト値、台形補正値）を、登録設定値として、第１設定値記憶部６１に登録する（ステップＳ２１３）。
【００６９】
一方、第２のユーザーにより選択切替ボタンＢ４が押下された場合は、設定値検出部５５は、スクリーン２００に表示された登録設定値のうち第２のユーザーにより選択されていない登録設定値があるか否かを判断する（ステップＳ２１４）。
【００７０】
未選択の登録設定値がある場合は（ステップＳ２１４：ＹＥＳ）、表示制御部５２が、前記抽出された登録設定値の情報をリスト形式にしてスクリーン２００に表示させ、選択可能な状態にする。
【００７１】
次に、第２のユーザーは、選択切替ボタンＢ４を押して登録設定値を切り替え、スクリーン２００に表示された登録設定値のうち、他の登録設定値を設定ボタンＢ３を押下して選択する（ステップＳ２１５）。第２のユーザーが他の登録設定値を選択すると、ステップＳ２１０に戻り、フォーカス調整処理を実行する。このとき、第２のユーザーは、ズーム調整処理を合わせて行ってもよい。
【００７２】
一方、未選択の登録設定値がない場合は（ステップＳ２１４：ＮＯ）、ステップＳ２０８に戻り、設定値検出部５５が、検索範囲を変更する。設定値検出部５５は、検索範囲を変更すると、再度、変更した範囲において前記登録設定値の検索を行う（ステップＳ２０５）。以降は同様の処理を繰り返す。
【００７３】
ステップＳ２１３において前記調整完了時の各設定値が第１設定値記憶部６１に登録されると、表示制御部５２が、スクリーン２００に設定完了の表示を行う（ステップＳ２１６）。
【００７４】
以上の処理によれば、プロジェクター１００が、ユーザーの手動により、ズーム調整、フォーカス調整、レンズシフト、及び台形補正が行われる構成であっても、電動調整機能を有するプロジェクター１００と同様の効果を得ることができる。
【００７５】
ここで、上述の各構成例では、プロジェクター１００の設定作業において、初めにズーム調整を行い、調整後のズーム調整値を取得し、取得したズーム調整値に基づいて登録設定値（登録ズーム値、登録フォーカス値、登録レンズシフト値、登録台形補正値）を検出（取得）している。本発明に係るプロジェクター１００は、これに限定されない。例えば、プロジェクター１００の設定作業において初めに取得する設定項目は、フォーカス設定又はレンズシフト設定であってよい。具体的には例えば、プロジェクター１００の設定作業において、初めにフォーカス調整を行い、調整後のフォーカス調整値を取得し、取得したフォーカス調整値に基づいて登録設定値（登録ズーム値、登録フォーカス値、登録レンズシフト値、登録台形補正値）を検出（取得）してもよい。
【００７６】
また、上述の各構成例では、設定値検出部５５が、第１設定値記憶部６１に登録された前記登録設定値のうち、前記ズーム調整値に最も近い登録ズーム値を含む１又は複数の登録ズーム値と、当該登録ズーム値に関連付けられた、登録フォーカス値、登録レンズシフト値、登録台形補正値とを、検索及び抽出（検出）する構成であるが、本発明に係るプロジェクター１００は、これに限定されない。例えば、設定値検出部５５は、前記登録設定値のうち、１つの設定項目（第１設定項目）の調整値（第１調整値）に最も近い登録設定値を含む１又は複数の登録設定値を、検索及び抽出（検出）する構成であってもよい。具体的には例えば、設定値検出部５５が、前記登録設定値のうち、ズーム設定の調整値（ズーム調整値）に最も近い登録ズーム値を含む１又は複数の登録ズーム値を、検索及び抽出（検出）する構成であってもよい。尚、前記第１設定項目は、ズーム設定、フォーカス設定、レンズシフト設定、台形補正設定の何れであってもよい。
【００７７】
尚、上述の各構成例におけるプロジェクター１００の設定作業において、第１設定値記憶部６１に登録されている登録設定値に関する情報を、スクリーン２００に表示させず、前記画像出力装置から入力される画像データに応じた画像をスクリーン２００に表示させてもよい。この場合、ユーザーは、当該画像の投影状態を確認しながら、前記登録設定値を切り替えて最適な投影状態となるように調整してもよい。
【符号の説明】
【００７８】
１００      プロジェクター
２００      スクリーン
１０        入力部
２０        操作部
３０        レンズ駆動部
４０        投射レンズ
５０        制御部
５１        画像処理部
５２        表示制御部
５３        レンズ調整部
５４        調整値取得部
５５        設定値検出部
５６        設定処理部
６０        記憶部
６１        第１設定値記憶部
６２        第２設定値記憶部
【図１】
2019113788.tif 000003
【図２】
2019113788.tif 000004
【図３】
2019113788.tif 000005
【図４】
2019113788.tif 000006
【図５】
2019113788.tif 000007
【図６】
2019113788.tif 000008
【図７】
2019113788.tif 000009
【図８】
2019113788.tif 000010
【図９】
2019113788.tif 000011